(57)【要約】    【課題】  観光地の遊戯施設を含む広い地域の画像情報を観光客へ提供可能な観光地情報提供システムを提供する。    【解決手段】  ネットワーク１００を介して、観光客端末２０と、観光地に設置されたデジタルカメラ１０及び監視端末３０が接続された観光地情報提供システムにおいて、監視端末３０がデジタルカメラ１０が撮影した画像情報をネットワーク経由で受信し、画像情報から得られる情報に基づいて観光地に関する情報を作成し、観光地情報として情報データベース３１に格納し、観光客端末２０からの観光地情報の提供要求に応じて、監視端末３０が観光客端末２０へ観光地情報を送信する。【選択図】      図１
2005276036.tif 000002
【特許請求の範囲】
【請求項１】
ネットワークを介して、観光客端末と、観光地に設置されたデジタルカメラ及び監視端末が接続された観光地情報提供システムにおいて、
前記監視端末が前記デジタルカメラが撮影した画像情報を前記ネットワーク経由で受信し、
前記画像情報から得られる情報に基づいて観光地に関する情報を作成し、観光地情報として情報データベースに格納し、
前記観光客端末からの前記観光地情報の提供要求に応じて、
前記監視端末が前記観光客端末へ前記観光地情報を送信することを特徴とする観光地情報提供システム。
【請求項２】
前記デジタルカメラが、観光地の設置場所における防犯用のカメラであって、防犯用に稼動していない時間を利用して、前記デジタルカメラによる観光地に関する画像情報を撮影することを特徴とする請求項１に記載の観光地情報提供システム。
【請求項３】
前記観光地情報に、遊戯施設又はレストラン又は道路のいずれか１つの混雑状況に関する情報、遊戯施設、レストラン等の複数の施設を異なる順序で訪れた場合の所要時間情報、開花情報又は登山情報又は天気情報の少なくとも１つを含むことを特徴とする請求項１又は請求項２に記載の観光地情報提供システム。
【請求項４】
前記デジタルカメラが、前記観光客端末から送信される操作要求に従って撮影した画像情報を前記観光客端末に送信することを特徴とする請求項１又は請求項２に記載の観光地情報提供システム。
【請求項５】
前記操作要求に、前記デジタルカメラの撮影方向の変更要求を含むことを特徴とする請求項４に記載の観光地情報提供システム。
【請求項６】
前記操作要求に、前記デジタルカメラの撮影倍率の変更要求を含むことを特徴とする請求項４又は請求項５に記載の観光地情報提供システム。
【請求項７】
ネットワークを介して、観光客端末及び観光地に設置されたデジタルカメラに接続され、前記観光地に設置された監視端末であって、
前記デジタルカメラにより撮影された画像情報を、前記ネットワーク経由で受信すると、
当該画像情報から得られる情報に基づいて観光地に関する情報を作成し、観光地情報として情報データベースに格納し、
前記観光客端末からの前記観光地情報の提供要求に応じて、
前記観光地情報を送信することを特徴とする監視端末。
【請求項８】
前記デジタルカメラが、観光地の設置場所における防犯用のカメラであって、防犯用に稼動していない時間を利用して、前記デジタルカメラによる観光地に関する画像情報を撮影することを特徴とする請求項７に記載の監視端末。
【請求項９】
前記観光地情報に、遊戯施設又はレストラン又は道路のいずれか１つの混雑状況に関する情報、遊戯施設、レストラン等の複数の施設を異なる順序で訪れた場合の所要時間情報、開花情報又は登山情報又は天気情報の少なくとも１つを含むことを特徴とする請求項７又は請求項８に記載の監視端末。
【請求項１０】
ネットワークを介して、観光客端末に接続され、観光地に設置されたデジタルカメラであって、
前記観光客端末からネットワーク経由で送信される操作要求に従って撮影を行い、
前記操作要求に従って撮影した画像情報を前記観光客端末に送信することを特徴とするデジタルカメラ。
【請求項１１】
前記デジタルカメラが、観光地の設置場所における防犯用のカメラであって、防犯用に稼動していない時間を利用して、前記デジタルカメラによる観光地に関する画像情報を撮影することを特徴とする請求項１０に記載のデジタルカメラ。
【請求項１２】
前記操作要求に、前記デジタルカメラの撮影方向の変更要求を含むことを特徴とする請求項１０又は請求項１１に記載のデジタルカメラ。
【請求項１３】
前記操作要求に、前記デジタルカメラの撮影倍率の変更要求を含むことを特徴とする請求項１０から請求項１２のいずれか１項に記載のデジタルカメラ。
【請求項１４】
ネットワークを介して、観光客端末及び観光地に設置されたデジタルカメラに接続され、前記観光地に設置された監視端末上で実行され、
前記デジタルカメラにより撮影された画像情報を前記ネットワーク経由で受信すると、
当該画像情報から得られる情報に基づいて観光地に関する情報を作成し、観光地情報として情報データベースに格納し、
前記観光客端末からの前記観光地情報の提供要求に応じて、
前記観光客端末に対して前記観光地情報を送信する機能を実行することを特徴とする情報提供制御プログラム。
【請求項１５】
前記観光地情報に、遊戯施設又はレストラン又は道路のいずれか１つの混雑状況に関する情報、遊戯施設、レストラン等の複数の施設を異なる順序で訪れた場合の所要時間情報、開花情報又は登山情報又は天気情報の少なくとも１つを含むことを特徴とする請求項１４に記載の情報提供制御プログラム。
【発明の詳細な説明】
【技術分野】
【０００１】
本発明は、情報提供システムに関し、特に、観光地のデジタルカメラにより撮影された画像情報から得られる情報を観光客に提供することを特徴とする観光地情報提供システム、監視端末、デジタルカメラ及び情報提供制御プログラムに関する。
【背景技術】
【０００２】
観光地を訪れることによって人はリラックスできるために、観光は人の精神的な疲労を癒す効果がある。しかしながら、実際に現地に行ってみると、遊戯施設では長い行列のために長時間待たされ、また場合によっては待たされただけで希望した施設は利用できないということがある。また、車で移動する場合、観光地に到着する以前に、付近の道路が混雑したために予定したとおりに現地に到着できないこともある。
【０００３】
このような状況は、観光地の情報を観光客が現地に行く前には取得することができないことが原因で発生していた。
【０００４】
このような状況を解決する方法の一例が、例えば特開２００２−４１７０３号公報（特許文献１）に記載されている。
【０００５】
特許文献１に開示される方法では、デジタルカメラが遊戯施設等に備えられている。観光客は、最初にタグ番号の異なる電子タグの発行を受ける。写真撮影を希望する人はタグ番号を登録する。すると、登録された番号の人がデジタルカメラの前に現れると、自動的に撮影が行われるというものである。
【０００６】
撮影された画像は、データベースに格納され、観光客が遊戯施設から退出するときにタグ番号でアクセスすると写真が渡される。また観光客は帰宅してから、ネットワーク経由で遊戯施設にアクセスすることにより、写真をダウンロードすることもできる。
【特許文献１】特開平２００２−４１７０３号公報
【発明の開示】
【発明が解決しようとする課題】
【０００７】
上述した従来の技術は、以下に述べるような問題点があった。
【０００８】
特許文献１の方法では、遊戯施設等に備えられたデジタルカメラにより撮影され観光客の画像を、観光客が遊戯施設から退出時に提供する。この方法の場合、デジタルカメラにより提供される情報が限られているという欠点があった。すなわち提供される情報は、観光客の写真、予約情報、観光客の遊戯施設内での位置情報が主であり、遊戯施設外部の情報、たとえば道路渋滞情報等の画像情報を観光客に提供することはできなかった。
【０００９】
また、特許文献１の方法では、遊戯施設内の情報であっても、観光客にとって重要な情報である混雑状況に関する情報（以下、混雑情報と略記する）は提供されなかった。
【００１０】
また、特許文献１の方法では、観光客の写真は得られるものの、観光客がデジタルカメラの操作は行わないために、写真撮影の方向、倍率は一定であり、入場者の満足する写真は提供されにくいという問題があった。
【００１１】
さらに、特許文献１の方法の場合、デジタルカメラは遊戯施設内に設置されるが、遊戯施設に入場者が集まる休日は稼動するが、入場者の少ない平日の稼動は低くなりがちで、画像サービスを提供するデジタルカメラの設置費用及び維持費用によって、遊戯施設の経済負担が増加するという問題があった。
【００１２】
本発明の第１の目的は、上記従来技術の欠点を解決し、観光地の遊戯施設を含む広い地域の画像情報を観光客へ提供可能な観光地情報提供システム、監視端末、デジタルカメラ及び情報提供制御プログラムを提供することにある。
【００１３】
本発明の第２の目的は、観光客が自分の端末からデジタルカメラを操作して撮影した画像情報を提供可能な観光地情報提供システム、監視端末、デジタルカメラ及び情報提供制御プログラムを提供することにある。
【００１４】
本発明の第３の目的は、画像情報を提供するためのデジタルカメラの高い稼動を実現すると共にその設置費用及び維持費用を低減可能な、観光地情報提供システム、監視端末、デジタルカメラ及び情報提供制御プログラムを提供することにある。
【課題を解決するための手段】
【００１５】
ネットワークを介して、観光地を管理する者が設置した複数の防犯用のデジタルカメラと、観光客の端末と、前記観光地を管理する者の監視端末が接続された画像情報提供システムにおいて、前記デジタルカメラを画像情報提供用カメラとして使用する場合、前記複数のデジタルカメラにより撮影された画像情報を前記ネットワーク経由で前記監視端末に送信した後、前記監視端末は当該画像情報を前記監視端末に備える画像情報データベースに格納し、前記観光客が前記監視端末にアクセスして前記画像情報を閲覧することを特徴とする。
【発明の効果】
【００１６】
本発明の観光地情報提供システム、監視端末、デジタルカメラ及び情報提供制御プログラムによれば、以下の効果が達成される。
【００１７】
第１に、広い地域に設置されたデジタルカメラ画像に基づく情報が観光客端末に提供されるため、観光客は遊戯施設、レストラン、道路等の混雑情報、複数の観光スポットを訪れる場合の所要時間情報、公園の開花情報、登山情報等を自分の端末で知ることが可能となる。
【００１８】
第２に、観光客が自分の端末からデジタルカメラを操作して撮影した画像情報を自分の端末で取得できるために、観光客は自分のカメラを携帯することなく自分の写真、風景等を撮影することが可能となる。写真画像は観光客端末で確認できるために、観光客は自分の満足する写真を撮影することが可能となる。
【００１９】
第３に、画像情報を撮影するデジタルカメラは防犯用を兼ねる。このため、防犯用の既設のデジタルカメラがあれば設置費用は不要となる。また、監視端末のオペレータ、機器の保守等についても、防犯用途と共通にすることができるため、経済性、稼動率に優れたシステムを実現することが可能となる。
【実施例１】
【００２０】
以下、本発明の好適な実施例について図面を参照して詳細に説明する。
【００２１】
図１は、本発明の第１の実施例による観光地情報提供システムの構成を示すブロック図である。なお、必要に応じて図２の主要な部分を参照する。
【００２２】
図１を参照すると、ネットワーク１００を介して、デジタルカメラ１０と、観光客端末２０と、監視端末３０が接続されている。
【００２３】
デジタルカメラ１０は、監視端末３０と共に観光地を管理する者（管理団体等）が観光地の様々な箇所に設置したものであって、防犯用も兼ねている。
【００２４】
本実施例では、デジタルカメラ１０が防犯のためにのみ用いられる場合の稼動率は一般的に低いことから、防犯稼動していない時間を利用して、観光客に対して各種観光地に関する情報の提供に利用するものである。
【００２５】
また、デジタルカメラ１０の設置場所は道路、駅前等の公共の場所が多いが、遊戯施設、レストラン等にも設置することができる。
【００２６】
デジタルカメラ１０は通常は防犯動作をしているが、以下の説明では、このようなデジタルカメラ１０を、観光用の画像情報の提供に利用する場合について説明し、その防犯動作については特に説明は行わない。
【００２７】
デジタルカメラ１０は、撮影した画像情報をネットワーク１００経由で監視端末３０に送信することができる。
【００２８】
また、デジタルカメラ１０は、ネットワーク１００経由で送信される観光客端末２０からの操作要求に従って、デジタルカメラ１０の撮影方向を変更できる。また、当該操作要求に従って画像情報の拡大又は縮小も行うことができる。操作要求に従って撮影した画像情報は、観光客端末２０に送信することができる。
【００２９】
観光客端末２０は、携帯電話等の移動端末又はコンピュータ端末等であって、ネットワーク１００経由で監視端末３０にアクセスすることにより、遊戯施設、レストラン、道路等の混雑情報（混雑状況に関する情報）の提供を受けることができる。また、観光客端末２０は、受信した情報を表示することができる。
【００３０】
観光客端末２０は、監視端末３０にアクセスすることにより、遊戯施設又はレストランを異なる複数の順序で訪れた場合の所要時間情報を受信して、表示することができる。
【００３１】
観光客端末２０は、端末としてのコンピュータ装置上で観光地情報２００の受信と表示、監視端末３０へのアクセスを制御するためのプログラムを実行することで上記の機能を実現する。
【００３２】
監視端末３０は、デジタルカメラ１０からネットワーク１００経由で送信された画像情報を受信して表示し、また情報データベース３１に格納することができる。監視端末３０のオペレータは表示した画像を常に監視する。
【００３３】
また、監視端末３０のオペレータは、デジタルカメラ１０から送信される遊戯施設やレストランなどの画像情報の中から、混雑情報を把握して混雑情報として確認して情報データベース３１に格納する。
【００３４】
また、監視端末３０は情報データベース３１に格納した情報に基づき、観光客端末２０に提供する観光地情報２００を作成する。観光地情報２００には、遊戯施設やレストランなどの混雑情報、観光客が遊戯施設やレストランを複数の異なる複数の順序で訪れた場合の所要時間等が含まれる。
【００３５】
さらに、監視端末３０は、観光客端末２０からアクセスした際に、情報データベース３１に格納された観光地情報２００を観光客端末２０に対して提供することができる。
【００３６】
情報データベース３１は観光客端末２０に提供する観光地情報２００である遊戯施設やレストランなどの混雑情報、複数の施設を異なる複数の順序で訪れる場合の所要時間情報、デジタルカメラ１０からの画像情報などを格納する。
【００３７】
図２は、本実施例による観光地情報２００の情報例を示す図である。
【００３８】
図２を参照すると、遊戯施設の場合には混雑情報及びイベント情報が、またレストランの場合には混雑情報及びグルメ情報が、道路の場合には混雑情報が観光地情報２００に含まれる。観光地情報２００には、上記以外に、公園の開花情報、天気情報、登山情報も含まれる。
【００３９】
次に、本実施例による動作を、図を用いて詳細に説明する。本実施例では、監視端末３０が画像情報に基づき観光地情報２００を作成し、情報を観光客端末２０へ提供する例について説明する。
【００４０】
図３は、本実施例による監視端末３０が観光地情報２００を作成する動作を説明するためのフローチャートである。
【００４１】
図３を参照すると、最初に、デジタルカメラ１０が観光地の写真を撮影する（ステップ３０１）。
【００４２】
デジタルカメラ１０は、観光地の画像情報をネットワーク１００経由で監視端末３０へ送信し（ステップ３０２）、監視端末３０は送信された画像情報を受信する（ステップ３０３）。
【００４３】
次に、監視端末３０は、受信した観光地の画像情報を監視端末３０のディスプレイに表示する（ステップ３０４）。
【００４４】
次に、監視端末３０は受信した画像情報を情報データベース３１に格納する（ステップ３０５）。
【００４５】
監視端末３０のオペレータは、受信した画像情報から遊戯施設やレストランなどの混雑状況を確認して、観光地情報２００に含まれる遊戯施設やレストランなどの混雑情報を作成し、この作成した混雑情報を情報データベース３１の観光地情報２００に格納する（ステップ３０６）。
【００４６】
次に、監視端末３０は混雑情報から、観光地における遊戯施設やレストランを異なる複数の順序で訪れた場合の所要時間を計算し（ステップ３０７）、これらの場合の所要時間情報を作成する（ステップ３０８）。
【００４７】
図４は、本実施例による観光客端末２０が監視端末３０から混雑情報の提供を受ける動作を説明するためのフローチャートである。
【００４８】
図４を参照すると、最初に、観光客端末２０から混雑情報の要求がある場合（ステップ４０１）、観光客端末２０から監視端末３０へ混雑情報提供要求が送信される（ステップ４０２）。
【００４９】
監視端末３０は混雑情報をネットワーク１００経由で観光客端末２０に提供し（ステップ４０３）、提供された情報が観光客端末２０のディスプレイに表示される（ステップ４０４）。
【００５０】
図５は、本実施例による観光客端末２０が監視端末３０から所要時間情報の提供を受ける動作を説明するためのフローチャートである。
【００５１】
図５を参照すると、最初に、観光客端末２０から所要時間情報の要求がある場合（ステップ５０１）、観光客端末２０から監視端末３０へ所要時間情報提供要求が送信される（ステップ５０２）。
【００５２】
監視端末３０は所要時間情報をネットワーク１００経由で観光客端末２０に提供し（ステップ５０３）、提供された情報が観光客端末２０のディスプレイに表示される（ステップ５０４）。
【００５３】
上記実施例では、観光地情報２００が、遊戯施設、レストランの混雑情報、遊戯施設やレストランを異なる複数の順序で訪れた場合の所要時間の場合について、説明を行ったが、図２に示した公園の開花情報、天気情報、登山情報についても、実施例と全く同様に観光客端末２０に提供することができる。
【００５４】
また、図２に示した観光地情報２００の情報例に限らず、防犯目的で設置されたデジタルカメラ１０から得られる画像情報に基づく情報であれば、観光地情報２００として、観光客端末２０に提供できる。
【００５５】
以上説明した実施例によれば、広い地域に設置されたデジタルカメラ１０の画像に基づく情報が観光客端末２０に提供されるため、観光客は遊戯施設、レストラン、道路等の混雑情報、複数の観光スポットを訪れる場合の所要時間情報、公園の開花情報、登山情報等を自分の端末で知ることが可能となる。
【実施例２】
【００５６】
次に、本発明の第２の実施例について説明する。本実施例では、デジタルカメラ１０が観光客端末２０からの操作要求に従って撮影を行い、撮影した画像情報を観光客端末２０で表示する例について説明する。
【００５７】
図６は、本実施例による観光客端末２０にデジタルカメラ１０の画像情報を表示する動作を説明するためのフローチャートである。
【００５８】
図６を参照すると、最初に、観光客端末２０からデジタルカメラ１０へ、画像情報の送信要求をネットワーク１００経由で行う（ステップ６０１）。
【００５９】
次に、デジタルカメラ１０から送信された画像情報を、観光客端末２０で受信する（ステップ６０２）。
【００６０】
次に、受信した画像情報を、観光客端末２０で表示する（ステップ６０３）。
【００６１】
図７は、本実施例による観光客端末２０からデジタルカメラ１０の撮影方向を変更する動作を説明するためのフローチャートである。
【００６２】
図７を参照すると、最初に、デジタルカメラ１０の撮影方向の変更要求がある場合（ステップ７０１）、観光客端末２０からデジタルカメラ１０の撮影方向を変更する操作要求を送信する（ステップ７０２）。
【００６３】
デジタルカメラ１０は、観光客端末２０からのカメラ撮影方向を変える要求を受信する（ステップ７０３）。
【００６４】
次に、デジタルカメラ１０は、観光客端末２０からの要求に従ってカメラの撮影方向を設定した後、撮影を行う（ステップ７０４）。
【００６５】
撮影後、デジタルカメラ１０は画像情報を観光客端末２０へ送信する（ステップ７０５）。
【００６６】
デジタルカメラ１０より送信された撮影方向を変更した画像が、観光客端末２０に表示される（ステップ７０６）。
【００６７】
図８は、本実施例による観光客端末２０からデジタルカメラ１０の撮影倍率を変更する動作を説明するためのフローチャートである。撮影倍率の変更では、広角による撮影から望遠による撮影を行って、画像情報を観光客端末２０へ送信する。
【００６８】
図８を参照すると、最初に、デジタルカメラ１０の撮影倍率の変更要求がある場合（ステップ８０１）、観光客端末２０からデジタルカメラ１０のカメラ撮影倍率（広角による撮影か望遠による撮影か）を変更する要求を送信する（ステップ８０２）。
【００６９】
デジタルカメラ１０は、観光客端末２０からのカメラ撮影倍率を変える要求を受信する（ステップ８０３）。
【００７０】
次に、デジタルカメラ１０は観光客端末２０からの要求に従った撮影倍率により撮影を行う（ステップ８０４）。
【００７１】
撮影後、デジタルカメラ１０は撮影した画像情報を観光客端末２０へ送信する（ステップ８０５）。
【００７２】
デジタルカメラ１０より送信された撮影倍率を変更して撮影された画像が、観光客端末２０に表示される（ステップ８０６）。
【００７３】
ここで、本実施例による観光客端末２０に観光客自身の画像を表示する場合の利用方法について以下に述べる。
【００７４】
撮影前に観光客はデジタルカメラ１０の撮影範囲内に移動する。
【００７５】
次に、観光客端末２０からデジタルカメラ１０に対して撮影要求を送信する（ステップ９０１）。
【００７６】
撮影後、デジタルカメラ１０から撮影した画像情報が観光客端末２０へ送信され（ステップ９０２）、観光客端末２０に、観光客自身が写った画像が表示される（ステップ９０３）。
【００７７】
このような利用方法によれば、観光地の景色を背景にした観光客の記念写真をデジタルカメラ１０で撮影し、観光客端末２０に表示させることができる。
【００７８】
上記の実施例では、観光客は自分の観光客端末２０でデジタルカメラ１０又は監視端末３０へ情報提供要求を行うが、次のように観光客端末２０を観光客に借用する利用形態が考えられる。
【００７９】
この場合、観光地の管理者側が観光客に観光客端末２０を貸与する。
【００８０】
観光客は、貸与された観光客端末２０により、図３から図９に示した手順によって情報、画像情報の提供を受けることができる。
【００８１】
このように観光客端末２０を活用して観光を終えた後、観光客が貸与された観光客端末２０を返却する。観光地を管理する者は、返却された観光客端末２０から画像情報を読み出し、情報データベース３１に格納する。
【００８２】
また、観光客が希望する場合には、画像情報を手渡すこともできる。
【００８３】
本発明の監視端末３０は、その動作をハードウェア的に実現することは勿論として、上記した各手段を実行する情報提供制御プログラム（アプリケーション）５０を監視端末３０で実行することにより、ソフトウェア的に実現することができる。この情報提供制御プログラム５０は、磁気ディスク、半導体メモリその他の記録媒体に格納され、その記録媒体から監視端末３０にロードされ、その動作を制御することにより、上述した各機能を実現する。
【００８４】
上記実施例は、デジタルカメラ１０が１台の場合について説明したが、デジタルカメラ１０の台数が複数の場合であっても、各デジタルカメラ１０を識別して動作させることにより、全く同様に適用することができる。
【００８５】
また、観光客端末２０、監視端末３０が複数の場合であっても同様である。
【００８６】
以上好ましい複数の実施例をあげて本発明を説明したが、本発明は必ずしも、上記実施例に限定されるものでなく、その技術的思想の範囲内において様々に変形して実施することができる。
【図面の簡単な説明】
【００８７】
【図１】本発明の第１の実施例による観光地情報提供システムの構成を示すブロック図である。
【図２】本発明の第１の実施例による観光地情報の情報例を示す図である。
【図３】本発明の第１の実施例による監視端末が観光地情報を作成する動作を説明するためのフローチャートである。
【図４】本発明の第１の実施例による観光客端末が監視端末から混雑情報の提供を受ける動作を説明するためのフローチャートである。
【図５】本発明の第１の実施例による観光客端末が監視端末から所要時間情報の提供を受ける動作を説明するためのフローチャートである。
【図６】本発明の第２の実施例による観光客端末にデジタルカメラの画像情報を表示する動作を説明するためのフローチャートである。
【図７】本発明の第２の実施例による観光客端末からデジタルカメラの撮影方向を変更する動作を説明するためのフローチャートである。
【図８】本発明の第２の実施例による観光客端末からデジタルカメラの撮影倍率を変更する動作を説明するためのフローチャートである。
【図９】本発明の第２の実施例による観光客端末に観光客自身の画像を表示する動作を説明するためのフローチャートである。
【符号の説明】
【００８８】
１０：デジタルカメラ
２０：観光客端末
３０：監視端末
３１：情報データベース
５０：情報提供制御プログラム
１００：ネットワーク
２００：観光地情報
【図１】
2005276036.tif 000003
【図２】
2005276036.tif 000004
【図３】
2005276036.tif 000005
【図４】
2005276036.tif 000006
【図５】
2005276036.tif 000007
【図６】
2005276036.tif 000008
【図７】
2005276036.tif 000009
【図８】
2005276036.tif 000010
【図９】
2005276036.tif 000011